(57)【要約】洗濯機（１）は、回転軸（１８）の延びる方向における一端側に開口部（１７）が形成された回転ドラム（３）と、開口部１７に対向する位置に出入口（１３）が形成された水槽（２）と、出入口（１３）を開閉可能に設けられた扉４と、出入口（１３）の周縁（前端縁（１２Ａ））を覆うように設けられ、閉じた状態の扉（４）と出入口（１３）の周縁との間を密封するためのパッキン（５）と、受入部（２８）とを含む。受入部（２８）は、水槽（２）において開口部（１７）の周縁（前端縁（３Ａ））とパッキン（５）との隙間Ｘを下から臨む部分（２Ａ）に設けられている。受入部（２８）は、下方へ窪んでおり、開口部（１７）からはみ出した洗濯物をパッキン（５）に接触しないように受け入れる。
2015059823.tif 000002
【特許請求の範囲】
【請求項１】
洗濯物を収容し、垂直方向に対して交差する方向に延びる回転軸を中心として回転可能な回転ドラムであって、前記回転軸の延びる方向における一端側に、洗濯物を出し入れするための開口部が形成された回転ドラムと、  前記回転ドラムを収容し、内部に水が溜められる水槽であって、前記開口部に対向する位置に、前記開口部を介して前記回転ドラム内に洗濯物を出し入れするための出入口が形成された水槽と、  前記出入口を開閉可能に設けられた扉と、  前記出入口の周縁を覆うように設けられ、閉じた状態の前記扉に密着して前記扉と前記出入口の周縁との間を密封するためのパッキンと、  前記水槽において前記開口部の周縁と前記パッキンとの隙間を下から臨む部分に設けられ、下方へ窪んでおり、前記開口部からはみ出した洗濯物を前記パッキンに接触しないように受け入れるための受入部と、を含むことを特徴とする、洗濯機。
【請求項２】
前記受入部は、前記回転軸を中心とする周方向に沿って設けられており、前記周方向における前記受入部の端部と、前記水槽における当該端部の周辺部とは、傾斜面によってつながれていること特徴とする、請求項１記載の洗濯機。
【請求項３】
前記受入部は、前記水槽と、前記水槽に取り付けられて前記受入部の一部を区画する１つの別部品とによって構成されていることを特徴とする、請求項１または２記載の洗濯機。
【請求項４】
前記受入部には、前記受入部に入り込んだ水を排出するための水抜き穴が設けられていることを特徴とする、請求項１〜３のいずれかに記載の洗濯機。
【発明の詳細な説明】
【技術分野】
【０００１】  この発明は、洗濯機に関する。
【背景技術】
【０００２】  下記特許文献１に記載の洗濯機は、筐体内に斜めに配置された洗濯水槽を備えている。洗濯水槽は、洗濯時に水を溜めるための外槽と、外槽内に回転自在に収容された回転ドラムとを含んでいる。回転ドラムおよび外槽のそれぞれの前側には、洗濯物の出し入れ用の出入口が形成されていて、これらの出入口は互いに対向して連通している。これらの出入口は、筐体に取り付けられたドアによって開閉される。
【先行技術文献】
【特許文献】
【０００３】
【特許文献１】特開２００９−１６５７０１号公報
【発明の概要】
【発明が解決しようとする課題】
【０００４】  特許文献１に記載の洗濯機において、外槽に溜まった水が外槽の出入口から漏れ出すことを防止するために、外槽の出入口とドアとの隙間を塞ぐパッキンを外槽の出入口の周縁に沿って設けることが想定される。また、毛布等の大型洗濯物が容易に出し入れできるように、出入口の大型化が要望されることも想定される。出入口が大きくなると、回転中の回転ドラムの出入口から回転ドラム内の洗濯物がはみ出しやすくなる。回転中の回転ドラムの出入口からはみ出した洗濯物がパッキンに接触すると、パッキンが損傷を受けて、パッキンの機能が低下し、外槽内の水がパッキンの損傷箇所から外部に漏れ出してしまう虞がある。【０００５】  この発明は、かかる背景のもとでなされたもので、回転ドラムからはみ出した洗濯物によるパッキンの損傷を防止できる洗濯機を提供することを目的とする。
【課題を解決するための手段】
【０００６】  請求項１記載の発明は、洗濯物を収容し、垂直方向に対して交差する方向に延びる回転軸を中心として回転可能な回転ドラムであって、前記回転軸の延びる方向における一端側に、洗濯物を出し入れするための開口部が形成された回転ドラムと、前記回転ドラムを収容し、内部に水が溜められる水槽であって、前記開口部に対向する位置に、前記開口部を介して前記回転ドラム内に洗濯物を出し入れするための出入口が形成された水槽と、前記出入口を開閉可能に設けられた扉と、前記出入口の周縁を覆うように設けられ、閉じた状態の前記扉に密着して前記扉と前記出入口の周縁との間を密封するためのパッキンと、前記水槽において前記開口部の周縁と前記パッキンとの隙間を下から臨む部分に設けられ、下方へ窪んでおり、前記開口部からはみ出した洗濯物を前記パッキンに接触しないように受け入れるための受入部と、を含むことを特徴とする、洗濯機である。【０００７】  請求項２記載の発明は、前記受入部は、前記回転軸を中心とする周方向に沿って設けられており、前記周方向における前記受入部の端部と、前記水槽における当該端部の周辺部とは、傾斜面によってつながれていること特徴とする、請求項１記載の洗濯機である。【０００８】  請求項３記載の発明は、前記受入部は、前記水槽と、前記水槽に取り付けられて前記受入部の一部を区画する１つの別部品とによって構成されていることを特徴とする、請求項１または２記載の洗濯機である。【０００９】  請求項４記載の発明は、前記受入部には、前記受入部に入り込んだ水を排出するための水抜き穴が設けられていることを特徴とする、請求項１〜３のいずれかに記載の洗濯機である。
【発明の効果】
【００１０】  請求項１記載の発明によれば、この洗濯機では、洗濯物を収容する回転ドラムが、水平方向または斜めの方向に延びる回転軸を中心として回転可能である。回転ドラムを収容した水槽では、回転ドラムの開口部に対向する位置に出入口が形成されていて、閉じた状態の扉と出入口の周縁との間は、パッキンによって密封される。【００１１】  水槽において開口部の周縁とパッキンとの隙間を下から臨む部分には、下方へ窪んだ受入部が設けられている。この受入部は、回転ドラムの開口部からはみ出した洗濯物をパッキンに接触しないように受け入れることができるので、回転ドラムからはみ出した洗濯物によるパッキンの損傷を防止できる。【００１２】  請求項２記載の発明によれば、回転軸を中心とする周方向における受入部の端部と、水槽における当該端部の周辺部とは、傾斜面によって滑らかにつながれている。この場合、受入部に受け入れられた洗濯物が、受入部と当該周辺部との境界に差し掛かったとしても、はずみで浮き上がってパッキンに接触することを防止して、洗濯物を受入部へ円滑に戻すことができる。【００１３】  請求項３記載の発明によれば、窪んだ形状の受入部を、水槽だけで構成するのではなく、水槽と別部品との組合せによって構成するので、水槽を簡単な金型で成形することができる。つまり、簡単な金型構造によって、回転ドラムからはみ出した洗濯物によるパッキンの損傷を防止できる。【００１４】  請求項４記載の発明によれば、受入部に入り込んだ水が水抜き穴によって排出されるので、乾燥した状態で受入部に受け入れられた洗濯物が濡れることを防止できる。
【図面の簡単な説明】
【００１５】
【図１】図１は、この発明の一実施形態に係る洗濯機１の要部の右側断面図である。
【図２】図２は、図１における要部の拡大図である。
【図３】図３は、図１のＡ−Ａ矢視図である。
【図４】図４は、図１のＢ−Ｂ矢視図である。
【発明を実施するための形態】
【００１６】  以下には、図面を参照して、この発明の実施形態について具体的に説明する。
【００１７】  図１は、この発明の一実施形態に係る洗濯機１の要部の右側断面図である。図２は、図１における要部（点線で囲まれた部分）の拡大図である。図３は、図１のＡ−Ａ矢視図である。図４は、図１のＢ−Ｂ矢視図である。
【００１８】  なお、以下では、図１における洗濯機１の姿勢を基準として説明する。図１における左側が洗濯機１の前側（正面側）であり、図１における右側が洗濯機１の後側（背面側）であり、図１の上下方向は、洗濯機１の上下方向と一致している。また、この実施形態では、洗濯機１を前から見たときを基準として、洗濯機１の左右方向を規定している。そのため、図３の左右方向は、洗濯機１の左右方向と一致している。
【００１９】  この実施形態における洗濯機１として、洗濯後の洗濯物を乾燥させる機能を有するドラム式洗濯乾燥機を想定しているが、洗濯機１は、乾燥機能を省いたドラム式洗濯機であってもよい。
【００２０】  図１を参照して、洗濯機１は、その外殻を構成するボックス形状の筐体（図示せず）と、水槽２と、回転ドラム３と、扉４と、パッキン５とを主に含んでいる。
【００２１】  水槽２は、筐体内に収容されていて、複数のダンパ（図示せず）を介して筐体によって弾性支持されている。水槽２は、略円筒形状であって、その中心軸６は、水平方向Ｈに対して傾斜するように前上側へ延びている。水槽２は、中心軸６と同心状をなす略円筒状の円周壁７と、円周壁７の後端に接続されて円周壁７の中空部分を後側から塞ぐ円板状の底壁８と、円周壁７の前端から中心軸６側へ張り出した出入口部分９とを一体的に含んでいる。円周壁７は、前後に分割された複数の部品を組み合わせることで構成されてもよい。水槽２の内部には、底壁８側から水（水道水や、風呂水や、洗剤が溶けた水も含む）が溜められる。
【００２２】  底壁８の背面には、モータ１０（たとえばＤＤモータ）が取り付けられており、モータ１０の出力軸１０Ａは、底壁８の円中心部分を貫通して、水槽２内で中心軸６に沿って前上側へ突出している。
【００２３】  以下では、中心軸６を中心とする周方向に、符号「Ｓ」を付し（図３および図４参照）、周方向Ｓにおける全域のことを「周方向全域」と称することにする。
【００２４】  出入口部分９は、円周壁７の前端の周方向全域に接続されて中心軸６側へ張り出した環状の第１部分１１と、第１部分１１の内周縁の周方向全域に接続されて中心軸６に沿って前上側へ延び出た環状の第２部分１２とを一体的に含んでいる。第２部分１２の前端部が一段縮径されていて、当該前端部の内周面が、水槽２に形成された出入口１３を構成している。出入口１３は、中心軸６を円中心とする円形状である。当該前端部の外周面には、第２部分１２の周方向Ｓに沿って延びる環状の取付溝１４が１つ形成されている（図２も参照）。
【００２５】  回転ドラム３は、水槽２より一回り小さい略円筒形状であって、水槽２内に水槽２と同軸状で収容されている。そのため、回転ドラム３の中心軸は、前述した中心軸６と一致している。回転ドラム３は、中心軸６と同心状をなす略円筒状の円周壁１５と、円周壁１５の後端に接続されて回転ドラム３の中空部分を後側から塞ぐ円板状の底壁１６とを一体的に含んでいる。回転ドラム３内には、洗濯物が収容される。
【００２６】  円周壁１５では、前端部が前側へ向けて徐々に縮径されていて、円周壁１５の内周面における前端縁が、回転ドラム３に形成された開口部１７を構成している。開口部１７は、中心軸６を円中心とする円形状であって、水槽２の出入口１３よりも小径である。開口部１７は、出入口１３よりも後側で出入口１３と同軸状に配置されており、中心軸６の延びる方向から、出入口１３に対向している。洗濯機１で洗濯される洗濯物は、対向状態の出入口１３および開口部１７を介して、回転ドラム３内に対して出し入れされる。
【００２７】  底壁１６の円中心部分には、モータ１０の出力軸１０Ａの前端部が固定されている。モータ１０が駆動されることによって、回転ドラム３は、水平方向Ｈに対して傾斜するように前上側へ延びた中心軸６を回転軸（以下では、符号「１８」を付す）として、回転軸１８を中心として回転する。ちなみに、回転軸１８を中心とする周方向は、前述した周方向Ｓ（図３および図４参照）と同じである。また、回転ドラム３では、回転軸１８の延びる方向における一端側（正面側）に、前述した開口部１７が形成されていて、当該方向における他端側（背面側）に底壁１６が位置している。
【００２８】  なお、円周壁１５および底壁１６の少なくとも一方には、複数の貫通孔（図示せず）が形成されており、回転ドラム３の中空部分と水槽２の中空部分（回転ドラム３の中空部分以外の部分）とは、当該貫通孔を介して連通している。そのため、水槽２に溜まった水は、水槽２と回転ドラム３との間で行き来することができる。
【００２９】  扉４は、強化ガラスで構成された部分（ガラス部１９ということにする）と、ガラス部１９を支持する枠部２０とを備えている。ガラス部１９は、図１に示すように扉４を閉じた状態を基準とすると、後側に向かって階段状に先細となる略円錐台形状に形成されている。枠部２０は、閉じた状態の扉４におけるガラス部１９を前側から覆う板状であって、ガラス部１９の前端部に固定されている。枠部２０は、その左右のどちらかに配置されたヒンジ（図示せず）を介して筐体（図示せず）に固定されている。そのため、扉４は、このヒンジを中心に回動することで、開閉できる。図１に示すように閉じた状態の扉４は、ガラス部１９が出入口１３および開口部１７のそれぞれに対して前側から挿入されることで、出入口１３および開口部１７を前側から一度に塞いでいる。閉じた状態の扉４を、前側へ回動させることによって開くと、出入口１３および開口部１７からガラス部１９が前側へ退避するので、出入口１３および開口部１７が一度に前側へ開放される。このように、扉４は、出入口１３および開口部１７のそれぞれを開閉可能に設けられている。
【００３０】  パッキン５は、たとえばゴム製であり、水槽２における出入口１３の周縁（前述した出入口部分９の第２部分１２における前端縁１２Ａ）を全周に亘って覆うように設けられている。図１および図２を参照して、パッキン５は、出入口１３より若干小径かつ回転ドラム３の開口部１７とほぼ同径の円管状をなす管部２１を備えている。管部２１は、出入口１３および開口部１７のそれぞれと同軸状に配置されている。図２に示すように、管部２１の後端部２１Ａは、出入口１３内に挿入されていて、回転ドラム３において開口部１７が形成された前端縁３Ａに対して、周方向全域に亘って所定の隙間Ｘを隔てて前側から対向している。前後方向（厳密には、回転軸１８の延びる方向）において、隙間Ｘは、水槽２の出入口部分９の第２部分１２と同じ位置にある。
【００３１】  管部２１には、後側から前側に向かって、順に、第１突出部２２、第２突出部２３および第３突出部２４が一体的に設けられている。
【００３２】  第１突出部２２は、管部２１の外周面の周方向Ｓにおける全てに亘って連続しており、管部２１の外周面からその径方向外側に向かって蛇行してから後側へ突出するように形成されている。第１突出部２２の突出方向下流側端部（後端部）は、水槽２の出入口部分９の第２部分１２の取付溝１４に対して、外嵌されるように嵌め込まれている。これによって、パッキン５全体が、水槽２の出入口部分９に固定されている。
【００３３】  第２突出部２３は、管部２１の外周面の周方向Ｓにおける全てに亘って連続しており、管部２１の外周面からその径方向外側に向かって直立するように形成されている。
【００３４】  第３突出部２４は、管部２１の前端縁の周方向全域に連続しており、内側突出部２５と外側突出部２６とを一体的に備えている。内側突出部２５は、管部２１の前端縁から管部２１の径方向内側かつ後側へ向けて僅かに傾斜してから後側へ僅かに折れ曲がるように舌状に形成されている。外側突出部２６は、管部２１の前端縁から管部２１の径方向外側に僅かに延びて後方へ屈曲し、第２突出部２３の手前で再び屈曲して第２突出部２３に沿って径方向外側に延びるように形成されている。
【００３５】  図２に示すように扉４を閉じると、扉４のガラス部１９がパッキン５内（環状のパッキン５の内側）に入り込む。ガラス部１９の外表面は、扉４を閉じた状態において、前側に向かって次第に拡径するように形成されている（この部分を、以下では扉傾斜部２７ということにする）。扉４を閉じると、パッキン５の第３突出部２４の内側突出部２５が、周方向全域に亘って、ガラス部１９の扉傾斜部２７に対して圧接される。これにより、パッキン５の前端部（内側突出部２５）が、閉じた状態の扉４のガラス部１９に密着し、扉傾斜部２７と内側突出部２５との圧接部分よりも後側におけるパッキン５の内部が洗濯機１の外側から遮断される。よって、水槽２の出入口部分９の第２部分１２の前端縁１２Ａ（出入口１３の周縁）と扉４との間が、第２部分１２の周方向全域に亘って、パッキン５によって密封されるので、水槽２の内部も出入口１３側、つまり外部から遮断（水封）される。つまり、パッキン５を備えることによって、扉４を閉じることで、出入口１３における水槽２の内部の気密性を確保することができる。
【００３６】  ここで、洗濯機１は、受入部２８をさらに含んでいる。受入部２８に関し、水槽２の内周面には、回転ドラム３において開口部１７の周縁をなす前端縁３Ａとパッキン５の後端部（管部２１の後端部２１Ａ）との隙間Ｘを周方向Ｓに沿って下（真下）から臨む部分２Ａが存在する。当該部分２Ａは、水槽２の出入口部分９の第２部分１２の内周面の下側領域である。受入部２８は、当該部分２Ａに設けられ、下方へ窪んでいる。受入部２８に関連して、第２部分１２の内周面の下側領域には、下方へ凹みつつ上側（厳密には後上側）および後側（厳密には後下側）の両方に開放された受入溝２９が形成されている。受入溝２９は、第２部分１２において取付溝１４よりも後側に位置している。
【００３７】  図３を参照して、受入溝２９は、第２部分１２の周方向Ｓにほぼ沿って延びていて、受入溝２９の底面２９Ａは、下方へ円弧状に膨出している。厳密には、環状の第２部分１２における最下部およびその周辺部分が下方へ一段円弧状に膨出していて、第２部分１２において下方へ膨出した部分の上側面が、受入溝２９の底面２９Ａとなっている。底面２９Ａの曲率は、第２部分１２の内周面において受入溝２９以外の領域における曲率よりも大きい。
【００３８】  また、底面２９Ａの周方向Ｓにおける端部（ここでは両端部）は、第２部分１２の内周面（受入溝２９以外の部分）において周方向Ｓから受入溝２９に連続する周辺部１２Ｂに対して滑らかにつながる傾斜面２９Ｂとなっている。傾斜面２９Ｂは、周辺部１２Ｂに対して滑らかにつながるために、前後方向（回転軸１８の延びる方向）から見て、底面２９Ａに対する接線方向に延びつつ、周辺部１２Ｂに対して数°程度の小さな傾斜角で傾斜していることが好ましい。また、受入溝２９の底面２９Ａは、周方向Ｓにおけるいずれの位置においても、後下側へ傾斜している。
【００３９】  図２を参照して、水槽２には、閉塞板３０が取り付けられている。閉塞板３０は、洗濯機１の一部である。閉塞板３０は、洗濯機１の前後方向において薄い板状であり、当該前後方向から見て、底面２９Ａにほぼ沿う円弧状をなしている（図３および図４参照）。閉塞板３０の下側部分３０Ａは、水槽２の出入口部分９における第１部分１１と第２部分１２との境界部分に対して後側から対向配置され、ねじ３１（単数でも複数でも構わない）によって当該境界部分に固定されている（図４も参照）。閉塞板３０の上側部分３０Ｂは、受入溝２９を後側から塞いでいる。そのため、受入溝２９は、上側（隙間Ｘ側）だけに開放された状態になっている。このような受入溝２９および閉塞板３０によって、下方へ窪みつつ周方向Ｓ（回転軸１８を中心とする周方向Ｓ）に沿って円周状に広がるように設けられた受入部２８が構成されている。つまり、受入部２８は、水槽２と、水槽２に取り付けられて受入部２８の一部を区画する１つの別部品である閉塞板３０とによって構成されている。
【００４０】  また、周方向Ｓにおける受入部２８における端部２８Ａと、水槽２における当該端部２８Ａの周辺部（前述した周辺部１２Ｂ）とは、前述した傾斜面２９Ｂによってつながれている（図３も参照）。
【００４１】  また、閉塞板３０の上側部分３０Ｂにおいて、その周方向Ｓにおける略中央部の下端（下側部分３０Ａとの境界らへん）には、閉塞板３０を板厚方向（前後方向）に貫通する水抜き穴３２が形成されている（図３および図４も参照）。完成した受入部２８では、最も深い位置（受入溝２９の底面２９Ａと閉塞板３０との境界部分）に、この水抜き穴３２が設けられた状態になっている。
【００４２】  たとえば、運転中の洗濯機１において回転ドラム３が回転（たとえば脱水回転）している際に、回転ドラム３内の洗濯物の一部が遠心力によって回転ドラム３の開口部１７から前側へはみ出すことが考えられる。その場合、洗濯物において開口部１７から前側へはみ出た部分は、太線矢印で示すように、回転ドラム３の前端縁３Ａとパッキン５の後端部（管部２１の後端部２１Ａ）との隙間Ｘから、自重によって落下し、隙間Ｘの真下の受入部２８に導かれ、受入部２８によって受け入れられる。洗濯物は、受入部２８に受け入れられることによって、受入部２８より前側へはみ出ることなく遠心力によって受入部２８内で周方向Ｓに広がるように、コントロールされる。よって、洗濯物が回転ドラム３の開口部１７からはみ出たとしても、この洗濯物は、受入部２８に受け入れられることで、パッキン５（特に第１突出部２２）から後側へ遠ざけられるので、洗濯物の接触によるパッキン５の損傷（破れ等）を防止できる。
【００４３】  このように、受入部２８は、回転ドラム３の開口部１７からはみ出した洗濯物をパッキン５に接触しないように受け入れる。よって、回転ドラム３からはみ出した洗濯物によるパッキン５の損傷を防止できる。
【００４４】  また、周方向Ｓにおける受入部２８の端部２８Ａと、水槽２における当該端部２８Ａの周辺部１２Ｂとは、前述したように、受入溝２９の傾斜面２９Ｂによって滑らかにつながれている（図３参照）。この場合、受入部２８に受け入れられた洗濯物が、受入部２８と周辺部１２Ｂとの境界に差し掛かったとしても、はずみで浮き上がってパッキン５に接触することを防止して、洗濯物を受入部２８へ円滑に戻すことができる。なお、この実施形態では、受入溝２９の底面２９Ａの周方向Ｓにおける両端部に傾斜面２９Ｂが形成されているが（図３参照）、当該両端部のうち、少なくとも回転ドラム３の回転方向における下流側に位置する方に傾斜面２９Ｂが形成されていればよい。
【００４５】  そして、前述したように窪んだ形状の受入部２８を、水槽２だけで構成するのではなく、水槽２と別部品（閉塞板３０）との組合せによって構成するので、水槽２を簡単な金型で成形することができる。つまり、簡単な金型構造によって、回転ドラム３からはみ出した洗濯物によるパッキン５の損傷を防止できる。
【００４６】  また、受入部２８に水槽２の水が入り込んだとしても、この水は、受入部２８の最深部に位置する水抜き穴３２によって受入部２８の外へ排出される。よって、乾燥した状態で受入部２８に受け入れられた洗濯物が濡れることを防止できる。
【００４７】  この発明は、以上の実施形態の内容に限定されるものではなく、請求項記載の範囲内において種々の変更が可能である。
【００４８】  たとえば、前述した実施形態では、回転ドラム３の回転軸１８は、図１に示すように斜めの方向に延びているが、水平方向Ｈに沿って前後に延びていてもよい。要は、回転軸１８は、垂直方向Ｖに対して交差する方向に延びていればよい。
【符号の説明】
【００４９】  １      洗濯機  ２      水槽  ２Ａ    部分  ３      回転ドラム  ３Ａ    部分  ４      扉  ５      パッキン  １２Ａ  前端縁  １２Ｂ  周辺部  １３    出入口  １７    開口部  １８    回転軸  ２８    受入部  ２８Ａ  端部  ２９Ｂ  傾斜面  ３０    閉塞板  ３２    水抜き穴  Ｓ      周方向  Ｖ      垂直方向  Ｘ      隙間
【図１】
2015059823.tif 000003
【図２】
2015059823.tif 000004
【図３】
2015059823.tif 000005
【図４】
2015059823.tif 000006
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
洗濯物を収容し、垂直方向に対して交差する方向に延びる回転軸を中心として回転可能な回転ドラムであって、前記回転軸の延びる方向における一端側に、洗濯物を出し入れするための開口部が形成された回転ドラムと、
前記回転ドラムを収容し、内部に水が溜められる水槽であって、前記開口部に対向する位置に、前記開口部を介して前記回転ドラム内に洗濯物を出し入れするための出入口が形成された水槽と、
前記出入口を開閉可能に設けられた扉と、
前記出入口の周縁を覆うように設けられ、閉じた状態の前記扉に密着して前記扉と前記出入口の周縁との間を密封するためのパッキンと、
前記水槽の内周面において前記開口部の周縁と前記パッキンとの隙間を下から臨む部分に設けられ、下方へ窪んで上側に開放された受入溝によって構成されており、前記開口部からはみ出した洗濯物を前記パッキンに接触しないように受け入れるための受入部と、
を含み、
前記受入溝の底面は、下方へ円弧状に膨出しており、前記底面の曲率は、前記内周面において前記受入溝の周囲の領域における曲率よりも大きいことを特徴とする、洗濯機。
【請求項２】
前記受入部は、前記回転軸を中心とする周方向に沿って設けられており、前記周方向における前記受入部の端部と、前記水槽における当該端部の周辺部とは、傾斜面によってつながれていること特徴とする、請求項１記載の洗濯機。
【請求項３】
前記受入部は、前記水槽と、前記水槽に取り付けられて前記受入部の一部を区画する１つの別部品とによって構成されていることを特徴とする、請求項１または２記載の洗濯機。
【請求項４】
前記受入部には、前記受入部に入り込んだ水を排出するための水抜き穴が設けられていることを特徴とする、請求項１〜３のいずれかに記載の洗濯機。
【請求項５】
前記パッキンは、前記出入口内に挿入された円管状の管部と、前記管部の外周面からその径方向外側に向かい、前記水槽において前記出入口が形成された部分に対して外嵌された突出部とを含み、
前記突出部は、前記受入部から遠ざかるように湾曲していることを特徴とする、請求項１〜４のいずれかに記載の洗濯機。
【手続補正２】
【補正対象書類名】明細書
【補正対象項目名】０００６
【補正方法】変更
【補正の内容】
【０００６】
請求項１記載の発明は、洗濯物を収容し、垂直方向に対して交差する方向に延びる回転軸を中心として回転可能な回転ドラムであって、前記回転軸の延びる方向における一端側に、洗濯物を出し入れするための開口部が形成された回転ドラムと、前記回転ドラムを収容し、内部に水が溜められる水槽であって、前記開口部に対向する位置に、前記開口部を介して前記回転ドラム内に洗濯物を出し入れするための出入口が形成された水槽と、前記出入口を開閉可能に設けられた扉と、前記出入口の周縁を覆うように設けられ、閉じた状態の前記扉に密着して前記扉と前記出入口の周縁との間を密封するためのパッキンと、前記水槽の内周面において前記開口部の周縁と前記パッキンとの隙間を下から臨む部分に設けられ、下方へ窪んで上側に開放された受入溝によって構成されており、前記開口部からはみ出した洗濯物を前記パッキンに接触しないように受け入れるための受入部と、を含み、前記受入溝の底面は、下方へ円弧状に膨出しており、前記底面の曲率は、前記内周面において前記受入溝の周囲の領域における曲率よりも大きいことを特徴とする、洗濯機である。
【手続補正３】
【補正対象書類名】明細書
【補正対象項目名】０００９
【補正方法】変更
【補正の内容】
【０００９】
請求項４記載の発明は、前記受入部には、前記受入部に入り込んだ水を排出するための水抜き穴が設けられていることを特徴とする、請求項１〜３のいずれかに記載の洗濯機である。
請求項５記載の発明は、前記パッキンは、前記出入口内に挿入された円管状の管部と、前記管部の外周面からその径方向外側に向かい、前記水槽において前記出入口が形成された部分に対して外嵌された突出部とを含み、前記突出部は、前記受入部から遠ざかるように湾曲していることを特徴とする、請求項１〜４のいずれかに記載の洗濯機である。
【国際調査報告】
2015059823.tif 000007
2015059823.tif 000008